(57)【要約】  【課題】  電力を用いることなくカメラの空冷効果を高めることのできるカメラ装置を提供する。  【解決手段】  カメラ装置１は、カメラ２と特殊サンシールド４を備える。特殊サンシールド４は、カメラ２を覆うサンシールド部５と、サンシールド部５の上部に設けられる空冷促進部６とを備える。カメラ２の外周面とサンシールド部５の内周面との間には、下方に入口部８を有しかつ上方に出口部９を有する空冷用の通気路７が設けられる。空冷促進部６は、下側開口部１３と上側開口部１４を有する筒状本体１０を備え、筒状本体１０の下側開口部１３は、通気路７の出口部９に接続されている。空冷促進部６の材料は、サンシールド部５に比べて、太陽光エネルギーを吸収して熱エネルギーに変換する太陽熱吸収率が高い材料が用いられる。【選択図】  図１
2013054100.tif 000002
【特許請求の範囲】
【請求項１】
カメラと、前記カメラを覆うサンシールドと、前記サンシールドの上部に設けられる空冷促進器とを備えたカメラ装置において、
前記カメラの外周面と前記サンシールドの内周面との間には、下方に入口部を有しかつ上方に出口部を有する空冷用の通気路が設けられ、
前記空冷促進器は、下側開口部と上側開口部を有する筒状本体を備え、前記筒状本体の下側開口部は、前記通気路の出口部に接続されており、
前記空冷促進器の材料は、前記サンシールドに比べて、太陽光エネルギーを吸収して熱エネルギーに変換する太陽熱吸収率が高い材料が用いられることを特徴とするカメラ装置。
【請求項２】
前記筒状本体の下側開口部と前記通気路の出口部とは、気密性が保たれた状態で接続されていることを特徴とする請求項１に記載のカメラ装置。
【請求項３】
前記筒状本体の下側開口部と前記通気路の出口部とは、断熱された状態で接続されていることを特徴とする請求項１または請求項２に記載のカメラ装置。
【請求項４】
前記空冷促進器は、前記筒状本体の外周面から外側に向けて延びるように設けられた板状の太陽熱吸収用フィンを備えることを特徴とする請求項１ないし請求項３のいずれかに記載のカメラ装置。
【請求項５】
複数の前記太陽熱吸収用フィンが、前記筒状本体の上側から下側に並ぶように設けられ、
最も下側の太陽熱吸収用フィンは、前記筒状本体の外周面から斜め下方に向けて延びることを特徴とする請求項４に記載のカメラ装置。
【請求項６】
前記筒状本体の下側に設けられた太陽熱吸収用フィンの長さは、前記筒状本体の上側に設けられた太陽熱吸収用フィンの長さより、長くなるように設定されていることを特徴とする請求項４または請求項５に記載のカメラ装置。
【請求項７】
前記太陽熱吸収率が高い材料として、黒色の塗装または黒色の表面処理がなされた金属が用いられることを特徴とする請求項１ないし請求項６のいずれかに記載のカメラ装置。
【請求項８】
前記空冷促進器の筒状本体の内周面には、前記筒状本体の上側から下側に向かって延びる伝熱用フィンが設けられていることを特徴とする請求項１ないし請求項７のいずれかに記載のカメラ装置。
【請求項９】
カメラと前記カメラを覆うサンシールドとを備えたカメラ装置に取り付けられ、前記サンシールドの上部に配置される空冷促進器であって、
前記カメラの外周面と前記サンシールドの内周面との間には、下方に入口部を有しかつ上方に出口部を有する通気路が設けられ、
前記空冷促進器は、下側開口部と上側開口部を有する筒状本体を備え、前記筒状本体の下側開口部は、前記通気路の出口部に接続されており、
前記空冷促進器の材料は、前記サンシールドに比べて、太陽光エネルギーを吸収して熱エネルギーに変換する太陽熱吸収率が高い材料が用いられることを特徴とする空冷促進器。
【発明の詳細な説明】
【技術分野】
【０００１】
本発明は、電力を用いずにカメラを空冷する機能を備えたカメラ装置に関するものである。
【背景技術】
【０００２】
従来、電力を用いずに、カメラ装置の内部で発生する熱を外部に放熱するための技術が提案されている。例えば、従来のカメラ装置では、カメラ装置のハウジングに吸気部と排気部が設けられており、吸気部から取り込んだ外気によってハウジング内部の空冷が行われる（特許文献１参照）。
【先行技術文献】
【特許文献】
【０００３】
【特許文献１】特開平９−１７２５６４号公報
【発明の概要】
【発明が解決しようとする課題】
【０００４】
しかしながら、従来のカメラ装置では、空冷効果がそれほど高くないため、気温が高い地域で屋外（特に、太陽光のあたる場所）に設置される場合には、空冷効果が不足するおそれがあるという問題があった。
【０００５】
本発明は、上記従来の問題を解決するためになされたもので、電力を用いることなくカメラの空冷効果を高めることのできるカメラ装置を提供することを目的とする。
【課題を解決するための手段】
【０００６】
本発明のカメラ装置は、カメラと、前記カメラを覆うサンシールドと、前記サンシールドの上部に設けられる空冷促進器とを備えたカメラ装置において、前記カメラの外周面と前記サンシールドの内周面との間には、下方に入口部を有しかつ上方に出口部を有する空冷用の通気路が設けられ、前記空冷促進器は、下側開口部と上側開口部を有する筒状本体を備え、前記筒状本体の下側開口部は、前記通気路の出口部に接続されており、前記空冷促進器の材料は、前記サンシールドに比べて、太陽光エネルギーを吸収して熱エネルギーに変換する太陽熱吸収率が高い材料が用いられた構成を有している。
【０００７】
この構成により、カメラを覆うサンシールドとカメラとの間には、空冷用の通気路が設けられる。通気路の下方には入口部が設けられている。一方、通気路の上方の出口部は、空冷促進器の筒状本体の下側開口部に接続されており、空冷促進器の筒状本体の上方には上側開口部が設けられている。なお、サンシールドと空冷促進器とは、一体でもよく、別体でもよい。空冷促進器は太陽熱吸収率が高いので、太陽光を受けたときに、空冷促進器の温度が高くなり、空冷促進器の筒状本体の内部の空気の温度が高くなる。一方、サンシールドは太陽熱吸収率が低いので、太陽光を受けたときに、サンシールドの温度はそれほど高くならず、通気路の内部の空気の温度もそれほど高くならない。このようにして、通気路の内部の空気と空冷促進器の筒状本体の内部の空気に温度差ができると、いわゆる煙突効果により、空冷促進器の筒状本体の内部で温められた空気が上昇し上側開口部から流れ出て、その結果、通気路の下方の入口部から空気（外気）が流れ込むようになる。このようにして、通気路の入口部から流れ込んだ空気（外気）でカメラを冷やすことができる。この場合、空冷用のファンなどを用いることがなく、したがって、空冷用のファンなどを駆動させるための電力を要することもない。
【０００８】
また、本発明のカメラ装置では、前記筒状本体の下側開口部と前記通気路の出口部とが、気密性が保たれた状態で接続された構成を有している。
【０００９】
この構成により、空冷促進器の筒状本体の下側開口部と通気路の出口部との気密性が保たれるので、煙突効果が阻害されず、通気路の入口部から流れ込んだ空気（外気）でカメラを冷やすことができる。
【００１０】
また、本発明のカメラ装置では、前記筒状本体の下側開口部と前記通気路の出口部とが、断熱された状態で接続された構成を有している。
【００１１】
この構成により、空冷促進器の筒状本体の下側開口部と通気路の出口部とが断熱されるので、空冷促進器の筒状本体の熱が、サンシールドやカメラに伝達するのが抑えられる。したがって、空冷促進器の筒状本体の熱で、通気路の内部の空気の温度が上がるのを抑えることができ、煙突効果（カメラの空冷効果）が弱まるのを防ぐことができる。
【００１２】
また、本発明のカメラ装置では、前記空冷促進器が、前記筒状本体の外周面から外側に向けて延びるように設けられた板状の太陽熱吸収用フィンを備えた構成を有している。
【００１３】
この構成により、空冷促進器に設けられた太陽熱吸収用フィンにより、太陽光を受ける面積を増やすことができる。したがって、太陽光エネルギーを吸収して熱エネルギーに変換する効率を上げることができ、煙突効果（カメラの空冷効果）を高めることができる。
【００１４】
また、本発明のカメラ装置では、複数の前記太陽熱吸収用フィンが、前記筒状本体の上側から下側に並ぶように設けられ、最も下側の太陽熱吸収用フィンは、前記筒状本体の外周面から斜め下方に向けて延びた構成を有している。
【００１５】
この構成により、最も下側の太陽熱吸収用フィンが、サンシールドの傘としても機能し、太陽光を受けたときに、サンシールドの温度が高くなるのを抑えることができる。これにより、煙突効果（カメラの空冷効果）を高めることができる。
【００１６】
また、本発明のカメラ装置では、前記筒状本体の下側に設けられた太陽熱吸収用フィンの長さが、前記筒状本体の上側に設けられた太陽熱吸収用フィンの長さより、長くなるように設定された構成を有している。
【００１７】
この構成により、樹木の葉のように、空冷促進器の筒状本体に設けられた複数の太陽熱吸収用フィンで、効率よく太陽光を受けることができ、煙突効果（カメラの空冷効果）を高めることができる。
【００１８】
また、本発明のカメラ装置では、前記太陽熱吸収率が高い材料として、黒色の塗装または黒色の表面処理がなされた金属が用いられた構成を有している。
【００１９】
この構成により、空冷促進器の太陽熱吸収率を高くすることができ、したがって、太陽光を受けたときに、適切に煙突効果を得ることができ、通気路の入口部から流れ込んだ空気（外気）でカメラを冷やすことができる。
【００２０】
また、本発明のカメラ装置では、前記空冷促進器の筒状本体の内周面に、前記筒状本体の上側から下側に向かって延びる伝熱用フィンが設けられた構成を有している。
【００２１】
この構成により、空冷促進器の筒状本体、太陽熱吸収用フィンで受けた太陽熱が、伝熱用フィンで筒状本体の内部に伝達される。これにより、効率的に太陽熱を煙突効果促進に活用することができる。
【００２２】
本発明の空冷促進器は、カメラと前記カメラを覆うサンシールドとを備えたカメラ装置に取り付けられ、前記サンシールドの上部に配置される空冷促進器であって、前記カメラの外周面と前記サンシールドの内周面との間には、下方に入口部を有しかつ上方に出口部を有する空冷用の通気路が設けられ、前記空冷促進器は、下側開口部と上側開口部を有する筒状本体を備え、前記筒状本体の下側開口部は、前記通気路の出口部に接続されており、前記空冷促進器の材料は、前記サンシールドに比べて、太陽光エネルギーを吸収して熱エネルギーに変換する太陽熱吸収率が高い材料が用いられた構成を有している。
【００２３】
この空冷促進器によっても、上記と同様に、いわゆる煙突効果により、空冷促進器の筒状本体の内部で温められた空気が上昇し上側開口部から流れ出て、その結果、カメラ装置の通気路の下方の入口部から空気（外気）が流れ込むようになる。このようにして、通気路の入口部から流れ込んだ空気（外気）でカメラを冷やすことができる。この場合、空冷用のファンなどを用いることがなく、したがって、空冷用のファンなどを駆動させるための電力を要することもない。
【発明の効果】
【００２４】
本発明は、電力を用いることなくカメラの空冷効果を高めることができるという効果を有するカメラ装置を提供することができるものである。
【図面の簡単な説明】
【００２５】
【図１】本発明の実施の形態におけるカメラ装置の説明図
【図２】本発明の実施の形態におけるカメラ装置の斜視図
【図３】本発明の実施の形態における太陽熱吸収用フィンと伝熱用フィンの説明図
【図４】サンシールドの変形例（変形例１）の説明図
【図５】サンシールドの変形例（変形例２）の説明図
【図６】サンシールドの変形例（変形例３）の説明図
【図７】サンシールドの変形例（変形例４）の説明図
【図８】カメラ装置の変形例（または空冷促進器）の説明図
【発明を実施するための形態】
【００２６】
以下、本発明の実施の形態のカメラ装置について、図面を用いて説明する。本実施の形態では、気温が高い地域で屋外（特に、太陽光のあたる場所）に設置される監視カメラ等として用いられるカメラ装置の場合を例示する。
【００２７】
本発明の実施の形態のカメラ装置の構成を、図１〜図３を参照して説明する。図１は、カメラ装置の構成を説明するための側面図であり、図２は、カメラ装置の斜視図である。図１および図２に示すように、カメラ装置１は、屋外の壁面などに支持部材３を用いて取り付けられる吊り下げ型のカメラ２と、カメラ２の外周を覆う特殊サンシールド４で構成されている。カメラ２は、例えば、ドーム型の監視カメラ２であり、ユーザ（監視者）の遠隔操作によりパン方向およびチルト方向に旋回する機能を備えている。また、カメラ２のケーブル（電源ケーブルや通信ケーブルなど）は、筒状の支持部材３の内部に挿通されている。
【００２８】
図１に示すように、特殊サンシールド４は、カメラ２を覆うためのサンシールド部５と、カメラ２の空冷を行うための空冷促進部６とで構成される。サンシールド部５は、従来から設けられているサンシールドであってよい。空冷促進部６は、サンシールド部５の上部に設けられる。この場合、サンシールド部５と空冷促進部６が一体的に形成されている。ここでは、サンシールド部５が、本発明のサンシールドに相当し、空冷促進部６が、本発明の空冷促進器に相当する。
【００２９】
サンシールド部５の内周面とカメラ２の外周面との間には、カメラ２の空冷用の通気路７が設けられている。この通気路７には、入口部８と出口部９が設けられており、下方の入口部８から通気路７に流れ込んだ空気（外気）は、通気路７を通って、上方の出口部９から流れ出るように構成されている。サンシールド部５の外周面には、太陽光の反射率の高い材料（例えば、遮熱シリコン系塗料や塗熱フッ素系塗料など）の塗装または表面処理がなされている。
【００３０】
空冷促進部６は、略円筒状の筒状本体１０と、筒状本体１０の外周面に設けられる複数の太陽熱吸収用フィン１１と、筒状本体１０の内周面に設けられる複数の伝熱用フィン１２で構成されている。筒状本体１０には、下側開口部１３と上側開口部１４が設けられており、下側開口部１３は、上述の通気路７の出口部９に接続している。この場合、サンシールド部５と空冷促進部６が一体的に形成されているので、筒状本体１０の下側開口部１３と通気路７の出口部９とは、気密性が保たれた状態で接続されている。したがって、通気路７の出口部９から流れ出た空気は、そのまま外部に漏れることなく空冷促進部６の筒状本体１０に流れ込み、筒状本体１０に流れ込んだ空気は、筒状本体１０を通って、上側開口部１４から外部に流れ出るようになっている。
【００３１】
図３は、太陽熱吸収用フィン１１と伝熱用フィン１２の構成を説明するための平面図である。図１〜図３に示すように、太陽熱吸収用フィン１１は、筒状本体１０の外周面から外側に向けて延びるように設けられている。図１および図２に示すように、この例では、４枚の太陽熱吸収用フィン１１が、筒状本体１０の上側から下側に並ぶように設けられており、上側の３枚の太陽熱吸収用フィン１１が、円板状であり（図３参照）、最も下側の太陽熱吸収用フィン１１が、円錐板状（傘状）である。つまり、上側の３枚の太陽熱吸収用フィン１１が、筒状本体１０の外周面から水平方向に向けて延びており、最も下側の太陽熱吸収用フィン１１が、筒状本体１０の外周面から斜め下方に向けて延びている。この場合、最も下側の太陽熱吸収用フィン１１の長さは、上側の３枚の太陽熱吸収用フィン１１の長さより、長くなるように設定されている。なお、ここでは、太陽熱吸収用フィン１１の枚数が４枚である場合を例示したが、太陽熱吸収用フィン１１の枚数は、これに限定されるものではなく、太陽熱吸収用フィン１１は、必ずしも設けられていなくてもよい。
【００３２】
図１および図３に示すように、伝熱用フィン１２は、筒状本体１０の上側から下側に向かって延びるように設けられている。伝熱用フィン１２は、筒状本体１０の内周面から内側に向けて延びる平板状である。この例では、６枚の伝熱用フィン１２が、筒状本体１０の内周面に放射状に設けられている。なお、ここでは、伝熱用フィン１２の枚数が６枚である場合を例示したが、伝熱用フィン１２の枚数は、これに限定されるものではなく、伝熱用フィン１２は、必ずしも設けられていなくてもよい。
【００３３】
空冷促進部６の材料は、サンシールド部５に比べて、太陽光エネルギーを吸収して熱エネルギーに変換する太陽熱吸収率が高い材料が用いられる。太陽熱吸収率が高い材料としては、黒色の塗装または黒色の表面処理がなされた金属が用いられる。例えば、特殊サンシールド４は、金属製（例えば、アルミニウム製）であり、空冷促進部６（特に、筒状本体１０と太陽熱吸収用フィン１１）の外周面には、黒色の塗装や黒色の表面処理（例えば、黒色アルマイト処理）がなされている。
【００３４】
以上のように構成されたカメラ装置１について、次にその動作を説明する。
【００３５】
本実施の形態のカメラ装置１は、気温が高い地域で用いられ、屋外（特に、太陽光のあたる場所）に設置される。空冷促進部６（太陽熱吸収率が高い）は、太陽光を受けると温度が高くなり、筒状本体１０の内部の空気の温度も高くなる。一方、サンシールド部５（太陽熱吸収率が低い）は、太陽光を受けても温度がそれほど高くならず、通気路７の内部の空気の温度もそれほど高くならない。その結果、通気路７の内部の空気と空冷促進部６の筒状本体１０の内部の空気に温度差ができる。そうすると、いわゆる煙突効果により、図１において矢印で示すように、空冷促進部６の筒状本体１０の内部で温められた空気が上昇し上側開口部１４から流れ出て、通気路７の下方の入口部８から空気（外気）が流れ込むようになり、通気路７の入口部８から流れ込んだ空気（外気）でカメラ２が冷やされる。
【００３６】
このような本実施の形態のカメラ装置１によれば、電力を用いることなくカメラ２の空冷効果を高めることができる。
【００３７】
本実施の形態では、特殊サンシールド４のサンシールド部５とカメラ２との間には、空冷用の通気路７が設けられる。通気路７の下方には入口部８が設けられている。一方、通気路７の上方の出口部９は、特殊サンシールド４の空冷促進部６の筒状本体１０の下側開口部１３に接続されており、空冷促進部６の筒状本体１０の上方には上側開口部１４が設けられている。空冷促進部６は太陽熱吸収率が高いので、太陽光を受けたときに、空冷促進部６の温度が高くなり、空冷促進部６の筒状本体１０の内部の空気の温度が高くなる。一方、サンシールド部５は太陽熱吸収率が低いので、太陽光を受けたときに、サンシールド部５の温度はそれほど高くならず、通気路７の内部の空気の温度もそれほど高くならない。
【００３８】
このようにして、通気路７の内部の空気と空冷促進部６の筒状本体１０の内部の空気に温度差ができると、いわゆる煙突効果により、空冷促進部６の筒状本体１０の内部で温められた空気が上昇し上側開口部１４から流れ出て、その結果、通気路７の下方の入口部８から空気（外気）が流れ込むようになる。このようにして、通気路７の入口部８から流れ込んだ空気（外気）でカメラ２を冷やすことができる。この場合、空冷用のファンなどを用いることがなく、したがって、空冷用のファンなどを駆動させるための電力を要することもない。本発明によれば、特に、カメラ筐体内部が密閉構造を要求される屋外設置用の監視カメラ装置でも、外気を利用してカメラ２を冷やすことができる。
【００３９】
また、本実施の形態では、サンシールド部５と空冷促進部６が一体に形成されており、空冷促進部６の筒状本体１０の下側開口部１３と通気路７の出口部９との気密性が保たれる。したがって、煙突効果が阻害されず、通気路７の入口部８から流れ込んだ空気（外気）でカメラ２を冷やすことができる。
【００４０】
また、本実施の形態では、空冷促進部６に設けられた太陽熱吸収用フィン１１により、太陽光を受ける面積を増やすことができる。したがって、太陽光エネルギーを吸収して熱エネルギーに変換する効率を上げることができ、煙突効果（カメラ２の空冷効果）を高めることができる。
【００４１】
また、本実施の形態では、最も下側の太陽熱吸収用フィン１１が、サンシールド部５の傘としても機能し、太陽光を受けたときに、サンシールド部５の温度が高くなるのを抑えることができる。これにより、煙突効果（カメラ２の空冷効果）を高めることができる。
【００４２】
さらに、本実施の形態では、空冷促進器６の筒状本体１０、太陽熱吸収用フィン１１で受けた太陽熱が、伝熱用フィン１２で筒状本体１０の内部に伝達される。これにより、効率的に太陽熱を煙突効果促進に活用することができる。
【００４３】
また、本実施の形態では、空冷促進部６の筒状本体１０の内部の空気の流れが、伝熱用フィン１２で整えられる。これにより、図１に示すように、筒状本体１０の下側開口部１３から上側開口部１４へ向けて空気がまっすぐに流れやすくなり、煙突効果が損なわれるのを防ぐことができる。
【００４４】
以上、本発明の実施の形態を例示により説明したが、本発明の範囲はこれらに限定されるものではなく、請求項に記載された範囲内において目的に応じて変更・変形することが可能である。
【００４５】
例えば、以上の説明では、上側の３枚の太陽熱吸収用フィン１１が、筒状本体１０の外周面から水平方向に向けて延びる円板状である例について説明したが、図４に示すように、上側の３枚の太陽熱吸収用フィン１１も、筒状本体１０の外周面から斜め下方に向けて延び円錐板状（傘状）であってもよい。
【００４６】
また、以上の説明では、最も下側の太陽熱吸収用フィン１１の長さが、上側の３枚の太陽熱吸収用フィン１１の長さより、長くなるように設定されている例について説明したが、図５に示すように、すべての太陽熱吸収用フィン１１の長さが同じ長さに設定されていてもよい。
【００４７】
また、図６に示すように、筒状本体１０の下側の太陽熱吸収用フィン１１の長さが、筒状本体１０の上側の太陽熱吸収用フィン１１の長さより、長くなるように設定されていてもよい。つまり、筒状本体１０の上側から下側になるにつれて、太陽熱吸収用フィン１１の長さが、長くなるように設定されていてもよい。これにより、樹木の葉のように、空冷促進部６の筒状本体１０に設けられた複数の太陽熱吸収用フィン１１で、効率よく太陽光を受けることができ、煙突効果（カメラ２の空冷効果）を高めることができる。
【００４８】
また、以上の説明では、太陽熱吸収用フィン１１の形状が、円板状（図３参照）である例について説明したが、図７に示すように、太陽熱吸収用フィン１１の形状は、部分円板状（扇形状）であってもよい。この場合、太陽熱吸収用フィン１１は、扇形の中心方向（図７における下方向）が正中（北半球では南向き）の方角を向くように設置される。
【００４９】
また、以上の説明では、サンシールド部５（本発明のサンシールド）と空冷促進部６（本発明の空冷促進器）が一体的に形成された例について説明したが、図８に示すように、サンシールド２０と空冷促進器２１は別体であってもよい。この場合、サンシールド２０と空冷促進器２１との間には、断熱性を有するシール部材２２が介在される。このシール部材２２の材料としては、例えば、熱伝導率の低い綿ロープ等が用いられる。シール部材２２を介在させることにより、空冷促進器２１の筒状本体１０の下側開口部１３と通気路７の出口部９とが、気密性が保たれた状態かつ断熱された状態で接続される。
【００５０】
このように、空冷促進器２１の筒状本体１０の下側開口部１３と通気路７の出口部９との気密性が保たれるので、煙突効果が阻害されず、通気路７の入口部８から流れ込んだ空気（外気）でカメラ２を冷やすことができる。また、空冷促進器２１の筒状本体１０の下側開口部１３と通気路７の出口部９とが断熱されるので、空冷促進器２１の筒状本体１０の熱が、サンシールド２０やカメラ２に伝達するのが抑えられる。したがって、空冷促進器２１の筒状本体１０の熱で、通気路７の内部の空気の温度が上がるのを抑えることができ、煙突効果（カメラ２の空冷効果）が弱まるのを防ぐことができる。
【産業上の利用可能性】
【００５１】
以上のように、本発明にかかるカメラ装置は、電力を用いることなくカメラの空冷効果を高めることができるという効果を有し、気温が高い地域で屋外（特に、太陽光のあたる場所）に設置される監視カメラ等として用いられ、有用である。
【符号の説明】
【００５２】
１  カメラ装置
２  カメラ
３  支持部材
４  特殊サンシールド
５  サンシールド部
６  空冷促進部
７  通気路
８  入口部
９  出口部
１０  筒状本体
１１  太陽熱吸収用フィン
１２  伝熱用フィン
１３  下側開口部
１４  上側開口部
２０  サンシールド
２１  空冷促進器
２２  シール部材
【図１】
2013054100.tif 000003
【図２】
2013054100.tif 000004
【図３】
2013054100.tif 000005
【図４】
2013054100.tif 000006
【図５】
2013054100.tif 000007
【図６】
2013054100.tif 000008
【図７】
2013054100.tif 000009
【図８】
2013054100.tif 000010